(57)【要約】【課題】安価な構成によってネット（あるいは網体）の端縁を短時間の内にきわめて容易に固定可能な固定方法を提供する。【解決手段】複数の係止部材である係止ピンを所定の配置となるように設置した固定用治具を用い、その固定用治具の係止ピンに、ネットＮを懸架させた。さらに、ネットＮの固定させたい端縁に、所定の間隔で荷重を加え、その状態を保ったまま、荷重を加えた端縁に、表裏両側から、粘着性を有する合成樹脂フィルム７ａ，７ｂを貼着し、それらの合成樹脂フィルム７ａ，７ｂによってネットＮの下端縁を挟み込んだ。さらに、それらの２枚の合成樹脂フィルム７ａ，７ｂとネットＮの端縁とを糸で縫い付けることによって、ネットＮの下端縁を固定した。【選択図】図３
2017040023.tif 000002
【特許請求の範囲】
【請求項１】
同一の縫製パターンを周期的に繰り返してなるネットの端縁を一定の形状で固定するための固定方法であって、
複数の係止部材を所定の配置となるように設置した位置決め治具を用い、その位置決め治具の係止部材に、ネットを懸架させるとともに、固定させたい端縁に所定の間隔で荷重あるいは張力を加え、その状態を保ったまま、
荷重あるいは張力を加えた端縁に固定部材を固定させることを特徴とするネットの端縁の固定方法。
【請求項２】
固定部材が合成樹脂フィルムであり、
荷重あるいは張力を加えたネットの端縁に、表裏両側から、粘着性を有する合成樹脂フィルムを貼着し、それらの合成樹脂フィルムによってネットの固定させたい端縁を挟み込み、かつ、それらの２枚の合成樹脂フィルムとネットの端縁とを糸で縫い付けることによって、荷重あるいは張力を加えたネットの端縁に固定部材を固定させることを特徴とする請求項１に記載のネットの端縁の固定方法。
【請求項３】
２枚の合成樹脂フィルムとネットの端縁とを縫い付ける糸が、ナイロンあるいは絹製の糸であることを特徴とする請求項２に記載のネットの端縁の固定方法。
【請求項４】
ネットが、結び目を有しないものであることを特徴とする請求項１〜３のいずれかに記載のネットの端縁の固定方法。
【請求項５】
一枚の布状のネットを、その端縁が集まるように屈曲させて、その集まった端縁に固定部材を取り付けたことを特徴とするネット加工品。
【発明の詳細な説明】
【技術分野】
【０００１】
本発明は、ネット（あるいは網体）の端縁を固定するための固定方法に関するものである。
【背景技術】
【０００２】
インテリア製品、玩具、遊技機（パチンコ機やスロットマシーン）、電化製品等の製造においては、ネットの端縁を一定の形状となるように固定しておきたいことがある。そのようにネットの端縁を固定するための方法としては、特許文献１の如く、表面に環状体を備え、かつ、裏面にフック状突起を備えた固定部材を用いて、当該固定部材を裏面のフック状突起によって床面に固定するとともに、固定部材の表面の環状体に、ネットの端縁に係合させた略Ｃ字状の係止具を係合させることによって、ネットの端縁を固定する（ネットの端縁を一定の形状で保持する）方法が知られている。
【先行技術文献】
【特許文献】
【０００３】
【特許文献１】登録実用新案第３００３３４５号公報
【発明の概要】
【発明が解決しようとする課題】
【０００４】
しかしながら、上記従来のネットの端縁の固定方法は、多数の固定部材を形成しなければならないため、固定に要するコストが高くなる、という不具合がある。また、同一形状で固定させたネットを所定の場所に取り付けた製品を大量生産する場合には、端縁を多数の係止具に係止させなければならないため、製造に多大な手間と時間を要する、という不具合がある。
【０００５】
本発明の目的は、上記従来のネットの端縁の固定方法が有する問題点を解消し、安価な構成によってネット（あるいは網体）の端縁を短時間の内にきわめて容易に固定可能な固定方法を提供することにある。
【課題を解決するための手段】
【０００６】
本発明の内、請求項１に記載された発明は、同一の縫製パターンを周期的に繰り返してなるネット（あるいは網体）の端縁を一定の形状で固定するための固定方法であって、複数の係止部材を所定の配置となるように設置した位置決め治具を用い、その位置決め治具の係止部材に、ネットを懸架させるとともに、固定させたい端縁に所定の間隔で荷重あるいは張力を加え、その状態を保ったまま、荷重あるいは張力を加えた端縁に固定部材を固定させることを特徴とするものである。
【０００７】
請求項２に記載された発明は、請求項１に記載された発明において、固定部材が合成樹脂フィルムであり、荷重あるいは張力を加えたネットの端縁に、表裏両側から、粘着性を有する合成樹脂フィルムを貼着し、それらの合成樹脂フィルムによってネットの固定させたい端縁を挟み込み、かつ、それらの２枚の合成樹脂フィルムとネットの端縁とを糸で縫い付けることによって、荷重あるいは張力を加えたネットの端縁に固定部材を固定させることを特徴とするものである。
【０００８】
請求項３に記載された発明は、請求項２に記載された発明において、２枚の合成樹脂フィルムとネットの端縁とを縫い付ける糸が、ナイロンあるいは絹製の糸であることを特徴とするものである。
【０００９】
請求項４に記載された発明は、請求項１〜３のいずれかに記載された発明において、ネットが、結び目を有しないものであることを特徴とするものである。
【００１０】
請求項５に記載された発明は、一枚の布状のネット（あるいは網体）を、その端縁が集まるように屈曲させて、その集まった端縁に固定部材を取り付けたことを特徴とするネット加工品である。
【発明の効果】
【００１１】
請求項１に記載のネットの端縁の固定方法によれば、安価な構成によってネットが一定の形状になるように（多数のネットを固定させた場合にそれぞれが略同一の形状となるように）ネットの端縁を短時間の内にきわめて容易に固定することができる。
【００１２】
請求項２に記載のネットの端縁の固定方法によれば、ネットの端縁が２枚の合成樹脂フィルムによって挟まれた状態で固定されるので、その固定されたネットの端縁を、種々の形状を有する部材や装置にフィットするように取り付ける（固定あるいは固着させる）ことが可能となる。
【００１３】
請求項３に記載のネットの端縁の固定方法は、２枚の合成樹脂フィルムとネットの端縁とを縫い付ける糸が、ナイロンあるいは絹製の糸であり、当該糸の長さが環境（周囲の温度や湿度）によって変わりにくいので、２枚の合成樹脂フィルムとともに固定されたネットの端縁部分の形状を一定の形状で保持することができる。
【００１４】
請求項４に記載のネットの端縁の固定方法は、ネットが結び目を有しないものであるため、ネットの表裏から貼り付ける２枚の合成樹脂フィルムを広い面積で互いに接合させることができるので、ネットの端縁を強固に固定することができる。
【００１５】
請求項５に記載のネット加工品は、固定されていないネットの中央部分が柔軟性を有しているとともに、固定部材が一定の形状を保っているので、インテリア製品、玩具、遊技機、電化製品等の部品として好適に用いることができる。
【図面の簡単な説明】
【００１６】
【図１】ネットの端縁の固定に用いる固定用治具を示す説明図である。
【図２】固定用治具を用いてネットの端縁を固定する様子を示す説明図である。
【図３】端縁が固定されたネットを示す説明図である。
【発明を実施するための形態】
【００１７】
以下、本発明に係るネットの端縁の固定方法の一実施形態について、図面に基づいて詳細に説明する。
【００１８】
＜固定用治具＞
図１は、本発明に係る固定方法によってネットの端縁を固定する際に利用する固定用治具（位置決め治具）を示したものであり、固定用治具１は、平板状の基板（木質板）２、および、その基板２の左右両側に設けられた支持部材３，３・・等によって構成されている。そして、基板２の表面には、型取部材４が、中央部分を前方に膨出させた状態で設置されており、その型取部材４の表面には、ネットの製造を希望する形状を示す線を表示した透明な合成樹脂シート５が貼り付けられている。さらに、その合成樹脂シート５に印刷されたネットを示す線の上端縁に沿って、係止部材として機能する略円柱状の１１個の係止ピン（木質ピン）Ｐ１，Ｐ２，・・・Ｐ１１が、所定の間隔を隔てて立設されている。一方、型取部材４の左側の下端際にも、同様な係止ピンＰ１２が立設されている。
【００１９】
また、型取部材４の左右には、それぞれ、略長方形の板状のガイド壁Ｇ１，Ｇ２が立設されている。さらに、型取部材４の下側には、金属製で一定幅の帯状の貼着補助部材６が設置されており、その貼着補助部材６の左端縁際の下方には、係止ピンＰ１〜Ｐ１１と同様な係止ピンＰ１２が、立設されており、貼着補助部材６の中央付近の下方には、略長方形の板状のガイド壁Ｇ３が立設されている。そして、上記の如く構成された固定用治具１は、支持部材３，３・・を利用して、基板２を所定の角度で傾斜させた状態（上端縁が下端縁より後方となるように傾斜させた状態）で使用される。
【００２０】
＜ネット＞
一方、本発明に係る固定方法によって端縁を固定されるネットは、ナイロン製の所謂ラッセルネット（すなわち、ラッセル編機（経編機）で織られる編レースを基調としたネット）であり、構成要素である各紐体が、各３０ｍｍ間隔で、結び目を形成することなく他の紐体と接合した状態になっており、拡げると、約３０ｍｍ×約３０ｍｍの四角形が上下左右に連続した直角三角形状（底辺約５０ｍｍ×高さ約３０ｍｍ）になる。
【００２１】
＜ネットの端縁の固定方法＞
上記したネットの端縁を固定する際には、図２の如く、一定の大きさに裁断したネットＮの中央の特定の１１箇所の部分を、それぞれ、上記した固定用治具１の型取部材４の上側の係止ピンＰ１〜Ｐ１１に順番に係止させ、ネットＮの左下の部分を、型取部材４の左下の係止ピンＰ１２に係止させることによって、ネットＮの形状を、固定用治具１の表面に表示された線と略同一の形状にする。
【００２２】
次に、上記の如く中央の部分を係止金具Ｐ１〜Ｐ１2に係止させたネットＮの下端縁の特定の１１箇所の部分に、それぞれ、錘Ｗ，Ｗ・・を取り付ける。なお、錘Ｗは、円柱状の分銅部分の上端に、逆Ｕ字状のフックを固着させたものであり、ネットＮの端縁に錘Ｗを取り付ける場合には、フックをネットＮの下端縁の特定の網目に係止させる。なお、錘Ｗ，Ｗ・・の内の一つは、ガイド壁Ｇ３を利用して、そのガイド壁Ｇ３の左側に位置するように係止させる。
【００２３】
しかる後、そのように、特定の複数の網目を使用して錘Ｗ，Ｗ・・を取り付けたネットＮの端縁の表面および裏面に、粘着剤を積層した合成樹脂フィルム７ａ，７ｂ（固定部材）を貼り付ける。かかる合成樹脂フィルム７ａ，７ｂとしては、たとえば、所定の厚さ（約７０〜９０μｍ）のポリ塩化ビニル製のフィルム（裏面に粘着剤であるウレタンエラストマー等を積層したもの）を好適に利用することができる。
【００２４】
合成樹脂フィルム７ａ，７ｂの貼着は、まず、ネットＮの表面側から行う。すなわち、一定幅（約１５ｍｍ）の帯状に裁断した合成樹脂フィルム７ａを、その上端を貼着補助部材６の上端と合わせるようにして、ネットＮの下端際（錘Ｗ，Ｗ・・を係止させた部分の上側）に貼着する。なお、合成樹脂フィルム７ａは、ネットＮの下端際の幅よりも長いもの（下端際の長さ＋約３０ｍｍ）を使用する。
【００２５】
上記の如く、ネットＮの表面側に合成樹脂フィルム７ａを貼着させた後には、ネットＮを固定用治具１から取り外す。そして、貼着させた合成樹脂フィルム７ａが一定幅（貼着前より狭い幅：約９ｍｍ）の帯状になるように、合成樹脂フィルム７ａの下側の部分をネットＮと一緒に、裁断機（ロータリーシャー）によって裁断する。
【００２６】
しかる後、ネットＮの裏側の下端縁に、合成樹脂フィルム７ｂを貼着する。合成樹脂フィルム７ｂは、一定幅（約３５ｍｍ）の帯状に裁断されており、下側に一定の幅の黒色印刷部分が設けられている。当該合成樹脂フィルム７ｂをネットＮの下端縁に貼着する際には、合成樹脂フィルム７ｂの上端を合成樹脂フィルム７ａの上端と合わせるようにして、当該合成樹脂フィルム７ｂをネットＮの下端縁際に強く押し当て、合成樹脂フィルム７ｂの裏面をネットＮの各紐体に粘着させるとともに、合成樹脂フィルム７ａの裏面とも粘着させる。なお、合成樹脂フィルム７ｂも、合成樹脂フィルム７ａと同様に、ネットＮの下端際の幅よりも長いもの（下端際の長さ＋約３０ｍｍ）を使用する。
【００２７】
上記の如く、ネットＮの下端縁の表裏に、合成樹脂フィルム７ａ，７ｂを貼着した後には、ネットＮの下端際の左右の端縁から所定の長さ（約１０ｍｍ）だけ外側の部分において、余分な合成樹脂フィルム７ａ，７ｂを切り捨てる。そして、合成樹脂フィルム７ａ，７ｂとの貼着部分を、ミシンによって縫い付ける。当該縫製用の糸としては、ナイロンあるいは絹製の糸を好適に用いることができる。そして、２枚の合成樹脂フィルム７ａ，７ｂが重なり合った部分を、ミシンを用いて直線縫いによって、合成樹脂フィルム７ａ，７ｂの上下の端縁と平行になるように縫い付ける。縫い付けは、２枚の合成樹脂フィルム７ａ，７ｂが重なり合った部分の２カ所で行い、２本の縫い目線が、所定の間隔（約３．０ｍｍ）を隔てて平行になるように行う。また、２枚の合成樹脂フィルム７ａ，７ｂが重なり合った部分の左右の端縁際で、約１０ｍｍ幅の返し縫いを実行する。かかる一連の縫い付け作業によって、ネットＮの端縁（下端縁）の固定作業を終了する。
【００２８】
＜端縁が固定されたネットの構造＞
図３は、上記の如く端縁を固定したネットＮを示したものであり、ネットＮの片端縁際には、表裏から、合成樹脂フィルム７ａ，７ｂが貼り付けられており、それらの合成樹脂フィルム７ａ，７ｂの一部が互いに接合した状態で、ネットＮの端縁（下端縁）が固定された状態になっている。さらに、それらの合成樹脂フィルム７ａ，７ｂの接合部分が、縫製糸によって２本の直線状に縫い付けられて、縫い目８，８が形成された状態になっている。なお、裏側の合成樹脂フィルム７ｂは、表側の合成樹脂フィルム７ａに比べて幅広になっており、下側の略半分に黒色印刷部分が設けられている。また、その黒色印刷部分には、当該ネットＮを所定の機械に設置する際に用いる複数の係止孔が穿設されている。
【００２９】
＜ネットの端縁の固定方法による効果＞  
上記実施形態のネットの端縁の固定方法は、複数の係止部材である係止ピンＰ１〜Ｐ１２を所定の配置となるように設置した位置決め治具である固定用治具１を用い、その固定用治具１の係止ピンＰ１〜Ｐ１２に、ネットＮを懸架させるとともに、固定させたい端縁に所定の間隔で荷重を加え、その状態を保ったまま、荷重を加えた端縁に固定部材（合成樹脂フィルム７ａ，７ｂ）を固定させるものである。それゆえ、かかるネットＮの端縁の固定方法によれば、安価な構成によってネットＮが一定の形状になるように（多数のネットＮ，Ｎ・・を固定させた場合にそれぞれが略同一の形状となるように）ネットＮの端縁を短時間の内にきわめて容易に固定することができる。
【００３０】
また、上記実施形態のネットの端縁の固定方法は、固定部材が（粘着性を有する）合成樹脂フィルム７ａ，７ｂであり、荷重を加えたネットＮの端縁に、表裏両側から、合成樹脂フィルム７ａ，７ｂを貼着し、それらの合成樹脂フィルム７ａ，７ｂによってネットＮの固定させたい端縁を挟み込み、かつ、それらの２枚の合成樹脂フィルム７ａ，７ｂとネットＮの端縁とを糸で縫い付けることによって、荷重を加えたネットＮの端縁に合成樹脂フィルム７ａ，７ｂを固定させるものである。それゆえ、かかるネットＮの端縁の固定方法によれば、ネットＮの端縁が２枚の合成樹脂フィルム７ａ，７ｂによって挟まれた状態で固定されるので、その固定されたネットＮの端縁を、種々の形状を有する部材や装置にフィットするように取り付ける（固定あるいは固着させる）ことができる。
【００３１】
また、上記実施形態のネットＮの端縁の固定方法は、２枚の合成樹脂フィルム７ａ，７ｂとネットＮの端縁とを縫い付ける糸が、ナイロンあるいは絹製の糸であり、当該糸の長さが環境（周囲の温度や湿度）によって変わりにくいので、２枚の合成樹脂フィルム７ａ，７ｂとともに固定されたネットＮの端縁部分の形状を（縮んだり伸びたりしないように）一定の形状で保持することができる。
【００３２】
さらに、上記実施形態のネットＮの端縁の固定方法は、ネットＮが、結び目を有しないものであるため、ネットＮの表裏から貼り付ける２枚の合成樹脂フィルム７ａ，７ｂを広い面積で互いに接合させることができるので、ネットＮの端縁を強固に固定することができる。
【００３３】
加えて、上記実施形態の如く端縁が固定されたネット加工品は、固定されていないネットＮの中央部分が柔軟性を有しているとともに、固定部材（合成樹脂フィルム７ａ，７ｂ）が一定の形状を保っているので、インテリア製品、玩具、遊技機、電化製品等の部品として好適に用いることができる。
【００３４】
＜ネットの端縁の固定方法の変更例＞
本発明に係るネットの端縁の固定方法の構成は、上記した各実施形態の態様に何ら限定されるものではなく、固定用治具、錘、合成樹脂フィルム、縫製糸の材質、形状、構造等の構成を、本発明の趣旨を逸脱しない範囲で、必要に応じて適宜変更できる。
【００３５】
たとえば、２枚の合成樹脂フィルムとネットとを縫い付けるための縫製糸は、上記実施形態の如く、ナイロンや絹製のものに限定されず、ポリエステルや綿製のもの等に変更することも可能である。また、ネットの端縁の表裏に貼り付ける合成樹脂フィルムも上記実施形態の如く、ポリ塩化ビニル製のものに限定されず、ポリエステル製のもの等に変更することも可能である。加えて、場合によっては、表裏の合成樹脂フィルムの材質を変えたり、厚みを変えたりすることも可能である。また、表裏の合成樹脂フィルムの裏面の粘着剤の種類も、上記実施形態の如き、ウレタンエラストマーに限定されず、各種の粘着剤に変更することができる。なお、上記実施形態の如く、ポリ塩化ビニル製のフィルムを用いた場合には、端縁を固定されたネットを長期間に亘って使用した場合でも、形状が変化しにくいというメリットがある。
【００３６】
一方、本発明の方法によって端縁を固定されるネットも、上記実施形態の如き、ラッセルネットに限定されず、六角ネット等の各種のネットを用いることができる。さらに、端縁を固定されるネットの材質も、ナイロンに限定されず、他の合成樹脂や綿に変更することも可能である。
【００３７】
また、ネット（位置決め治具の係止部材に懸架されたネット）の固定させたい端縁に（所定の間隔で）荷重あるいは張力を加える方法は、上記実施形態の如き、ネットの下端縁に錘を取り付ける方法（すなわち、荷重を加える方法）に限定されず、位置決め治具の基板の下端際にコイルバネの片端を固定させて当該コイルバネの他端をネットの下端縁に係止させる方法（すなわち、張力を加える方法）等に変更することも可能である。かかる構成を採用する場合には、コイルバネのバネ係数を変えることによってネットの所定部分の張り具合を容易に調整することができる、というメリットがある。
【００３８】
加えて、本発明に係るネットの端縁の固定方法は、上記実施形態の如く、固定部材が（粘着性を有する）合成樹脂フィルムであるものに限定されず、固定部材を木製あるいは金属製の棒状体等に変更することも可能である。また、そのように固定部材を木製あるいは金属製の棒状体等に変更する場合には、固定部材に固着された（あるいは一体的に形成された）係合体にネットの端縁を係合させる方法や、接着剤を利用してネットの端縁を固定部材に接着する方法等によって、ネットの端縁に固定部材を固定させることができる。
【産業上の利用可能性】
【００３９】
本発明に係るネットの端縁の固定方法は、上記の如く優れた効果を奏するものであるので、インテリア製品、玩具、遊技機（パチンコ機やスロットマシーン）等の製造において、ネットが一定の形状となるようにネットの端縁を固定する方法として好適に用いることができる。
【符号の説明】
【００４０】
１・・固定用治具（位置決め治具）
２・・基板
３・・支持部材
Ｐ１〜Ｐ１２・・係止ピン（係止部材）
４・・貼付補助部材
６・・糸
７ａ，７ｂ・・合成樹脂フィルム（固定部材）
８・・縫い目
Ｎ・・ネット
Ｗ・・錘
【図１】
2017040023.tif 000003
【図２】
2017040023.tif 000004
【図３】
2017040023.tif 000005